(57)【要約】【課題】面状部材の連結部分で外観上の見栄えを損ねることがない仮囲いを提供する。【解決手段】建設現場Ｃの周囲に仮設され、複数の面状部材１２を横方向に連結してなる仮囲い１０であって、面状部材１２の横方向の端部において裏面側に折り曲げられた折り曲げ部３８と、横方向に隣接する面状部材１２の連結部分Ｚにおいて、対向する折り曲げ部３８どうしを密着して面状部材１２の裏面側で連結する連結部材４０とを備えるようにする。【選択図】図６
2018123547.tif 000002
【特許請求の範囲】
【請求項１】
建設現場の周囲に仮設され、複数の面状部材を横方向に連結してなる仮囲いであって、
面状部材の横方向の端部において裏面側に折り曲げられた折り曲げ部と、
横方向に隣接する面状部材の連結部分において、対向する折り曲げ部どうしを密着して面状部材の裏面側で連結する連結部材とを備えることを特徴とする仮囲い。
【請求項２】
折り曲げ部は、面状部材の横方向の端部が裏面側に巻き付けられる被巻き付け部材を含んで構成されており、
連結部材は、横方向に隣接する面状部材の連結部分において、対向する被巻き付け部材に巻き付けられた端部どうしを密着して面状部材の裏面側で連結することを特徴とする請求項１に記載の仮囲い。
【請求項３】
連結部材は、対向する折り曲げ部を貫通する貫通孔に挿通固定されることを特徴とする請求項１または２に記載の仮囲い。
【請求項４】
面状部材の裏面側で連結部分に沿って縦方向に延びる支柱をさらに備え、対向する折り曲げ部はこの支柱に固定されていることを特徴とする請求項１〜３のいずれか一つに記載の仮囲い。
【請求項５】
面状部材の表面側には所定の修景デザインが施されていることを特徴とする請求項１〜４のいずれか一つに記載の仮囲い。
【発明の詳細な説明】
【技術分野】
【０００１】
本発明は、建設現場などにおいて用いられる仮囲いに関し、特にリアルなビジュアル効果を発揮可能な仮囲いに関するものである。
【背景技術】
【０００２】
従来、建設現場においては、現場内外の危険防止や関係者以外の現場への侵入防止を図るため、現場の周囲に仮囲いを仮設する場合がある（例えば、特許文献１、２を参照）。一般に仮囲いは横方向へ並ぶ多数のシートやパネルなどの面状部材から形成されており、工事着手前に建設現場を内側としてその周囲を取り囲むように、面状部材を紐や支柱などで横方向に連結して組み立てられる。また、仮囲いは、その内側で建設工事が行われていることを建設現場の周辺に居る人に知らしめる機能を有している。
【先行技術文献】
【特許文献】
【０００３】
【特許文献１】特開２００３−１７６６３１号公報
【特許文献２】特開２０１２−１９１８６０号公報
【発明の概要】
【発明が解決しようとする課題】
【０００４】
ところで、神社、寺院、歴史的建造物などの改修工事を行う場合の仮囲いは、その寺社や歴史的建造物の持つ元来の印象や景観を損なわないように演出したデザインのものを用いることが望ましい。この場合、仮囲いを構成する面状部材として、例えば改修工事を行う前の建造物の景観をプリントしたものを用いることが考えられる。このようにすれば、仮囲いによってリアルなビジュアル効果を与えることができる。しかし、各面状部材は紐や支柱などで横方向に連結しているので、紐や支柱などの連結部分が見えると、このリアルなビジュアル効果を減殺するおそれがある。このため、連結部分で外観上の見栄えを損ねることがない仮囲いが求められていた。
【０００５】
本発明は、上記に鑑みてなされたものであって、面状部材の連結部分で外観上の見栄えを損ねることがない仮囲いを提供することを目的とする。
【課題を解決するための手段】
【０００６】
上記した課題を解決し、目的を達成するために、本発明に係る仮囲いは、建設現場の周囲に仮設され、複数の面状部材を横方向に連結してなる仮囲いであって、面状部材の横方向の端部において裏面側に折り曲げられた折り曲げ部と、横方向に隣接する面状部材の連結部分において、対向する折り曲げ部どうしを密着して面状部材の裏面側で連結する連結部材とを備えることを特徴とする。
【０００７】
また、本発明に係る他の仮囲いは、上述した発明において、折り曲げ部は、面状部材の横方向の端部が裏面側に巻き付けられる被巻き付け部材を含んで構成されており、連結部材は、横方向に隣接する面状部材の連結部分において、対向する被巻き付け部材に巻き付けられた端部どうしを密着して面状部材の裏面側で連結することを特徴とする。
【０００８】
また、本発明に係る他の仮囲いは、上述した発明において、連結部材は、対向する折り曲げ部を貫通する貫通孔に挿通固定されることを特徴とする。
【０００９】
また、本発明に係る他の仮囲いは、上述した発明において、面状部材の裏面側で連結部分に沿って縦方向に延びる支柱をさらに備え、対向する折り曲げ部はこの支柱に固定されていることを特徴とする。
【００１０】
また、本発明に係る他の仮囲いは、上述した発明において、面状部材の表面側には所定の修景デザインが施されていることを特徴とする。
【発明の効果】
【００１１】
本発明に係る仮囲いによれば、建設現場の周囲に仮設され、複数の面状部材を横方向に連結してなる仮囲いであって、面状部材の横方向の端部において裏面側に折り曲げられた折り曲げ部と、横方向に隣接する面状部材の連結部分において、対向する折り曲げ部どうしを密着して面状部材の裏面側で連結する連結部材とを備えるので、建設現場外部から面状部材の表面側を見た場合、連結部分は面状部材の折り曲げ部どうしが裏面側で密着した態様のため目立たないものとなり、面状部材の表面側に施された修景デザインなどの見栄えが損なわれることはない。したがって、連結部分で外観上の見栄えを損ねることがない仮囲いを提供することができるという効果を奏する。
【００１２】
また、本発明に係る他の仮囲いによれば、折り曲げ部は、面状部材の横方向の端部が裏面側に巻き付けられる被巻き付け部材を含んで構成されており、連結部材は、横方向に隣接する面状部材の連結部分において、対向する被巻き付け部材に巻き付けられた端部どうしを密着して面状部材の裏面側で連結するので、外観上の見栄えを損ねることなく連結部分の連結強度を高めることができるという効果を奏する。
【００１３】
また、本発明に係る他の仮囲いによれば、連結部材は、対向する折り曲げ部を貫通する貫通孔に挿通固定されるので、外観上の見栄えを損ねることなく折り曲げ部どうしを連結部材で連結することができるという効果を奏する。
【００１４】
また、本発明に係る他の仮囲いによれば、面状部材の裏面側で連結部分に沿って縦方向に延びる支柱をさらに備え、対向する折り曲げ部はこの支柱に固定されているので、外観上の見栄えを損ねることなく連結部分を固定することができるという効果を奏する。
【００１５】
また、本発明に係る他の仮囲いによれば、面状部材の表面側には所定の修景デザインが施されているので、景観に配慮した仮囲いを提供することができるという効果を奏する。
【図面の簡単な説明】
【００１６】
【図１】図１は、本発明に係る仮囲いの実施の形態を示す概略全体図である。
【図２】図２は、本発明に係る仮囲いの実施の形態を示す概略側面図である。
【図３】図３は、図２のＡ部分拡大図である。
【図４】図４は、図２のＢ部分拡大図である。
【図５】図５は、図２のＣ部分拡大図である。
【図６】図６は、本発明に係る仮囲いの連結部分を裏面側から見た概略斜視図である。
【図７】図７は、本発明に係る仮囲いの連結部分の概略平断面図である。
【発明を実施するための形態】
【００１７】
以下に、本発明に係る仮囲いの実施の形態を図面に基づいて詳細に説明する。なお、この実施の形態によりこの発明が限定されるものではない。
【００１８】
図１に示すように、本実施の形態に係る仮囲い１０は、改修工事中の建造物Ｃ（建設現場）を内側に収容する略筒箱状のものである。仮囲い１０の外面は建設現場の外側に面し、内面は建設現場に面して建造物Ｃの周囲を取り囲んでいる。仮囲い１０は、横方向へ並ぶ多数のシート部材１２（面状部材）により形成されている。景観に配慮するために、シート部材１２の外表面には、建設現場の外側から視認可能な修景デザインＤが施されている。
【００１９】
シート部材１２は、上下方向へ長い矩形を呈しており、横方向へ隣り合うシート部材１２どうしは連結部分Ｚで互いに連結している。シート部材１２は、容易に破損しない堅固な材質のものであり、例えばプラスチック製、樹脂製、木製、金属製などやこれらを組み合わせた材質で構成することができる。シート部材１２としては、例えば可撓性を有する非伸縮性のプラスチックフィルムや、プリント写真を表示可能なプリントメッシュシートなどで構成してもよい。シート部材１２の大きさや個数は特に限定はなく、建設現場の規模によって適宜選択することができる。
【００２０】
シート部材１２の外表面に施される修景デザインＤは、例えば改修工事前の建造物Ｃの外観を撮影したプリント写真などによって形成されており、シート部材１２のほぼ全面に描かれている。なお、シート部材１２の外表面に表示される要素はプリント写真などの修景デザインＤに限るものではなく、文字、図形、記号、模様、色彩やこれらを組み合わせたデザインであってもよい。
【００２１】
この仮囲い１０では、その外表面に改修工事前の建造物Ｃの外観を撮影したプリント写真などの修景デザインＤが施されているので、改修工事中において改修工事前の建造物Ｃが呈する元来の景観を疑似的に再現することができる。仮囲い１０が改修工事中の建造物Ｃのもつ景観を疑似的に再現することで、リアルなビジュアル効果が発揮され、建設現場を周囲の景観に溶け込ませることが可能となり、工事による景観の悪化を回避することができる。
【００２２】
図２に示すように、仮囲い１０の内側に沿った位置には、仮囲い１０と同程度の高さの枠組足場１４が立設されており、仮囲い１０はこの枠組足場１４によって安定した状態で設置されている。なお、枠組足場１４の代わりに単管足場、架台あるいは枠組等によって安定した状態で設置するようにしてもよい。
【００２３】
枠組足場１４は、一対の縦材１６と縦材１６の上端部を連結する横材１８とからなる門型の足場用建枠２０を縦方向に連設するとともに、横方向に所定の間隔を開けて立設し、横方向に対向する足場用建枠２０の縦材１６間に図示しない筋交いを取り付け、両方の横材１８どうしの間に足場板２２を架け渡して設置したものである。
【００２４】
図３に示すように、シート部材１２の上端部は、縦材１６に固定されたクランプ２４と固定治具２６を介して連結される。固定部材２６の係合リング２８には下方に垂れる案内用のワイヤーロープ３０が取り付けられている。一方、図４に示すように、シート部材１２の中間部などにおいては、縦材１６に固定されたクランプ３２とワイヤーロープ３０は鋼製の固定治具３４を介して連結されており、この固定治具３４はシート部材１２の裏面側に貼付固定した図示しないマグネットに磁気固定される。他方、図５に示すように、シート部材１２の下側の出入口ゲートＧ（図１を参照）の高さに対応する裏面側には、パネル３６が設けられる。
【００２５】
図６はシート部材１２の横方向の連結部分Ｚを裏面側から見た斜視図、図７は平断面図である。これらの図に示すように、本実施の形態の仮囲い１０は、シート部材１２の横方向の端部において裏面側に折り曲げられた折り曲げ部３８と、連結部材４０と、連結部分Ｚに沿って縦方向に立設した支柱４２とを備える。
【００２６】
折り曲げ部３８は、シート部材１２の横方向の端部が裏面側に巻き付けられる被巻き付け部材４４を含んで構成される。被巻き付け部材４４によって、外観上の見栄えを損ねることなく連結部分Ｚの連結強度を高めることができる。被巻き付け部材４４としては例えば軽量で剛性を有する薄板（例えば２ｍｍ厚さのアルミ板など）を用いて構成することができる。折り曲げ部３８と被巻き付け部材４４によって、連結部分Ｚはシート部材１２の裏面に対して略直角方向に突出した態様となる。
【００２７】
連結部材４０は、対向する被巻き付け部材４４に巻き付けられた端部どうしを密着してシート部材１２の裏面側で連結するものであり、対向する折り曲げ部３８を貫通する貫通孔４６に挿通固定されるボルトとこれを締結するナットからなる。このようにすることで、シート部材１２の外観上の見栄えを損ねることなく折り曲げ部３８どうしを連結部材４０で連結することができる。
【００２８】
折り曲げ部３８には、シート部材１２の裏面から最も遠い位置において帯状の縁部材４８が取り付けられている。縁部材４８には縦方向に所定の間隔を開けて係合孔５０が設けられている。折り曲げ部３８はこの係合孔５０に通された紐材５２が支柱４２に巻き付くことで支柱４２に固定されている。このようにすることで、シート部材１２の外観上の見栄えを損ねることなく連結部分Ｚを支柱４２に固定することができる。
【００２９】
本実施の形態によれば、建設現場外部からシート部材１２の外面側（表面側）を見た場合、連結部分Ｚは折り曲げ部３８どうしが裏面側で密着した態様のため目立たないものとなり、シート部材１２の外面側に施された修景デザインＤなどの見栄えが損なわれることはない。したがって、連結部分Ｚで外観上の見栄えを損ねることがない仮囲い１０を提供することができる。
【００３０】
以上説明したように、本発明に係る仮囲いによれば、建設現場の周囲に仮設され、複数の面状部材を横方向に連結してなる仮囲いであって、面状部材の横方向の端部において裏面側に折り曲げられた折り曲げ部と、横方向に隣接する面状部材の連結部分において、対向する折り曲げ部どうしを密着して面状部材の裏面側で連結する連結部材とを備えるので、建設現場外部から面状部材の表面側を見た場合、連結部分は面状部材の折り曲げ部どうしが裏面側で密着した態様のため目立たないものとなり、面状部材の表面側に施された修景デザインなどの見栄えが損なわれることはない。したがって、連結部分で外観上の見栄えを損ねることがない仮囲いを提供することができる。
【００３１】
また、本発明に係る他の仮囲いによれば、折り曲げ部は、面状部材の横方向の端部が裏面側に巻き付けられる被巻き付け部材を含んで構成されており、連結部材は、横方向に隣接する面状部材の連結部分において、対向する被巻き付け部材に巻き付けられた端部どうしを密着して面状部材の裏面側で連結するので、外観上の見栄えを損ねることなく連結部分の連結強度を高めることができる。
【００３２】
また、本発明に係る他の仮囲いによれば、連結部材は、対向する折り曲げ部を貫通する貫通孔に挿通固定されるので、外観上の見栄えを損ねることなく折り曲げ部どうしを連結部材で連結することができる。
【００３３】
また、本発明に係る他の仮囲いによれば、面状部材の裏面側で連結部分に沿って縦方向に延びる支柱をさらに備え、対向する折り曲げ部はこの支柱に固定されているので、外観上の見栄えを損ねることなく連結部分を固定することができる。
【００３４】
また、本発明に係る他の仮囲いによれば、面状部材の表面側には所定の修景デザインが施されているので、景観に配慮した仮囲いを提供することができる。
【産業上の利用可能性】
【００３５】
以上のように、本発明に係る仮囲いは、建設現場などにおいて用いられる仮囲いに有用であり、特にリアルなビジュアル効果を発揮する仮囲いに適している。
【符号の説明】
【００３６】
１０  仮囲い
１２  シート部材（面状部材）
１４  枠組足場
１６  縦材
１８  横材
２０  足場用建枠
２２  足場板
２４，３２  クランプ
２６，３４  固定治具
２８  係合リング
３０  ワイヤーロープ
３６  パネル
３８  折り曲げ部
４０  連結部材
４２  支柱
４４  被巻き付け部材
４６  貫通孔
４８  縁部材
５０  係合孔
５２  紐材
Ｃ  建造物（建設現場）
Ｄ  修景デザイン
Ｇ  出入口ゲート
Ｚ  連結部分
【図１】
2018123547.tif 000003
【図２】
2018123547.tif 000004
【図３】
2018123547.tif 000005
【図４】
2018123547.tif 000006
【図５】
2018123547.tif 000007
【図６】
2018123547.tif 000008
【図７】
2018123547.tif 000009